(57)【要約】【課題】日中には室外からの光の一部を、窓から透過させて室内側から室外を見えるようにするとともに窓の室外側で反射させて室内のプライバシーを保護しつつ、夜間には室内に配設された光源からの光が室外に透過することを防止し室外から室内を見えなくしてプライバシーを保護することが可能な居室設備を提供する。【解決手段】窓２を有する居室１用の居室設備であって、室内に配設され、円偏光４を出射して室内を照らす光源５と、窓２の室内側面に設けられるとともに光源５から出射された円偏光４を反射する半透明層６とを備えるように構成する。【選択図】図１
2011144511.tif 000002
【特許請求の範囲】
【請求項１】
窓を有する居室用の居室設備であって、
室内に配設され、円偏光を出射して室内を照らす光源と、
前記窓の室内側面に設けられるとともに前記光源から出射された円偏光を反射する半透明層とを備えたことを特徴とする居室設備。
【請求項２】
前記光源は、一般光源の光出射面に円偏光フィルタを配設して構成されていることを特徴とする請求項１に記載の居室設備。
【請求項３】
前記半透明層は、反射型直線偏光板に四分の一波長板が積層された円偏光板又は光学活性体を含む液晶フィルムから構成されていることを特徴とする請求項１又は請求項２に記載の居室設備。
【発明の詳細な説明】
【技術分野】
【０００１】
本発明は、日中には室外からの光の一部を、窓から透過させて室内側から室外を見えるようにするとともに窓の室外側で反射させて室内のプライバシーを保護しつつ、夜間には室内に配設された光源からの光が室外に透過することを防止し室外から室内を見えなくしてプライバシーを保護する居室設備に関する。
【背景技術】
【０００２】
従来、特開平８−１７４７５０号公報には、透明プラスチックフィルムの片面に樹脂着色層と半透明金属蒸着層とが形成された窓貼り用フィルムが開示されている。かかる窓貼り用フィルムは、室外側で光の一部を反射する特性に基づき、建造物や自動車の窓に貼着されて室温の上昇を防いで冷房効率を高くしたり、また、室内のプライバシーを保護したりするために使用されている。
【先行技術文献】
【特許文献】
【０００３】
【特許文献１】特開平８−１７４７５０号公報
【発明の概要】
【発明が解決しようとする課題】
【０００４】
しかしながら、前記従来の窓貼り用フィルムは、窓に貼着された際に室外からの光の一部を透過し且つ反射することから、日中においては室内側から室外を見ることができ、また、室内のプライバシーを保護するものであるが、夜間においては室内側の光の一部を透過してしまうことから、室外から室内が見えてしまいプライバシーを保護できなくなるという問題がある。
【０００５】
本発明は、前記従来における問題点を解消するためになされたものであり、日中には室外からの光の一部を、窓から透過させて室内側から室外を見えるようにするとともに窓の室外側で反射させて室内のプライバシーを保護しつつ、夜間には室内に配設された光源からの光が室外に透過することを防止し室外から室内を見えなくしてプライバシーを保護することが可能な居室設備を提供することを目的とする。
【課題を解決するための手段】
【０００６】
前記目的を達成するため請求項１に係る居室設備は、窓を有する居室用の居室設備であって、室内に配設され、円偏光を出射して室内を照らす光源と、前記窓の室内側面に設けられるとともに前記光源から出射された円偏光を反射する半透明層とを備えたことを特徴とする。
【０００７】
請求項２に係る居室設備は、請求項１の居室設備において、前記光源は、一般光源の光出射面に円偏光フィルタを配設して構成されていることを特徴とする。
請求項３に係る居室設備は、請求項１又は請求項２の居室設備において、前記半透明層は、反射型直線偏光板に四分の一波長板が積層された円偏光板又は光学活性体を含む液晶フィルムから構成されていることを特徴とする。
【発明の効果】
【０００８】
請求項１に係る居室設備では、居室の窓の室内側面に半透明層が設けられているので、室外からの光の一部は、半透明層を介して窓から透過して室内側から室外を見えるようにするとともに窓の室外側で反射されて室内のプライバシーが保護される。
また、室内に配設された光源から出射される円偏光は半透明層を介して反射されるので、夜間には光源からの円偏光が室外に透過することは防止され、これより室外から室内を見えなくしてプライバシーを保護することが可能となる。
【０００９】
尚、光源は、請求項２に記載されているように、一般光源の光出射面に円偏光フィルタを配設して構成されていることが好ましく、また、半透明層は、請求項３に記載されているように、反射型直線偏光板に四分の一波長板が積層された円偏光板又は光学活性体を含む液晶フィルムから構成されていることが好ましい。
【図面の簡単な説明】
【００１０】
【図１】本実施形態に係る居室設備を模式的に示す説明図である。
【発明を実施するための形態】
【００１１】
以下、本発明に係る居室設備について、本発明を具体化した実施形態に基づき図面を参照しつつ説明する。
先ず、図１に基づき本実施形態に係る居室設備の概略構成について説明する。
図１において、居室１は窓２を有しており、また、居室１の天井３には円偏光４を出射する光源５が配設されている。窓２の室内側面には、光源５から出射された円偏光４を反射する半透明層６が設けられている。
【００１２】
ここに、居室１とは、人がある期間滞在するための空間をいう。例えば、住宅のリビングやオフィスビルのフロア、自動車のキャビンや列車の客室等が居室１に該当する。尚、居室１の大きさには特に制限はなく、また、室外に面した窓２の面積や個数にも特に制限はない。
【００１３】
また、光源５は円偏光４を出射して居室１の室内を照らすものである。円偏光４とは、振幅の方向が時間の経過に従って円を描く偏光である。光源５から出射される円偏光４は、振幅の方向が時間の経過に伴って右方向に回転する光（右円偏光）であってもよいし、また、その逆に左方向に回転する左円偏光であってもよい。
【００１４】
光源５は、例えば、市販の光源の出射面に円偏光フィルタを設けることにより得ることができる。市販の光源としては、例えば、白熱電球、蛍光灯、発光ダイオード等が用いられる。また、円偏光フィルタとしては、吸収型又は反射型の直線偏光板に四分の一波長板を積層した円偏光板や、光学活性体を含む液晶フィルム等が用いられる。
【００１５】
前記円偏光板の場合、透過する円偏光の左右は、直線偏光板の透過軸に対する四分の一波長板の遅相軸のなす角度を４５度とするか１３５度とするかによって調整できる。４５度の場合は透過光として左円偏光が得られ、１３５度の場合には右円偏光が得られる。
前記光学活性体を含む液晶フィルムの場合、透過する円偏光の左右は、用いる光学活性体の種類に応じて適宜制御することができる。
【００１６】
本実施形態に使用される光源５は、居室１の室内を照らすために、代表的には天井３又はその付近に配設される。光源５の照度は、特に制限はなく、例えば、光源５から１ｍ離れて測定した際に、５０ｌｕｘ〜３０００ｌｕｘである。
【００１７】
本実施形態に使用される半透明層６は、窓２の室内側面に設けられる。尚、かかる半透明層６は、窓２の室内側面と室外側面の双方に設けてもよい。半透明層６は、光源５から出射された円偏光４を反射し、光源５から出射された円偏光が右円偏光である場合にはその右円偏光を反射し、また、光源５から出射された円偏光が左円偏光である場合にはその左円偏光を反射する。
【００１８】
前記半透明層６は、好ましくは、反射型直線偏光板に四分の一波長板を積層した円偏光板や光学活性体を含む液晶フィルムから構成される。半透明層６が反射する円偏光の左右の調整は、前記した透過光の場合と逆の調整を行えばよい。
【００１９】
反射型直線偏光板としては、例えば、３Ｍ社製の商品名「ＤＢＥＦ」が用いられ、光学活性体を含む液晶フィルムとしては、日東電工社製の商品名「ＰＣＦ」が用いられる。
半透明層６の厚みは、特に制限はないが、好ましくは１０μｍ〜３００μｍである。
また、半透明層６の可視光領域（波長４００ｎｍ〜７８０ｎｍ）の全光線透過率は、好ましくは３０％〜７０％である。
【００２０】
続いて、前記のように構成された居室１用の居室設備の動作について図１に基づき説明する。
先ず、日中においては、図１の上側の図に示すように、居室１の室外からの一部の光Ｌ１は、居室１の窓２の室内側面に半透明層６が設けられていることから、半透明層６を介して窓２から透過する。これにより、居室１の室内側から室外が見えることとなる。また、室外からの残余の光Ｌ２は、半透明層６を介して反射されることから、室内は鏡のように反射して室外からは見ることができない。これにより、室内のプライバシーが保護される。
【００２１】
また、夜間においては、図１の下側の図に示すように、光源５を点灯し円偏光４を介して室内を照らすが、光源５から出射された円偏光４は、半透明層６を介して反射される。このとき、居室１の室内の円偏光は４は室外に透過することはない。従って、居室１の室外から室内を見ても真っ暗に見えるだけであり、室外から室内を見ることはできない。これにより、夜間においても室内のプライバシーを確実に保護することができる。
【００２２】
前記した通り本実施形態に係る居室１の照明設備では、居室１の窓２の室内側面に半透明層６が設けられているので、日中には室外からの一部の光Ｌ１は、半透明層６を介して窓２から透過して室内側から室外を見えるようにし、また、室外における残余の光Ｌ２は、窓２の室外側で反射されることとなり、これより居室１の室内のプライバシーが保護される。
また、居室１の室内で天井に３に配設された光源５から出射される円偏光４は半透明層６を介して反射されるので、夜間には光源５からの円偏光４が室外に透過することは防止され、これより室外から室内を見えなくして室内のプライバシーを保護することが可能となる。
【００２３】
尚、本発明は、前記実施形態に限定されることはなく、本発明の要旨を逸脱しない範囲内で種々の改良、変形が可能であることは勿論である。
【符号の説明】
【００２４】
１        居室
２        窓
３        天井
４        円偏光
５        光源
６        半透明層
【図１】
2011144511.tif 000003